(57)【要約】【課題】  １枚のハガキだけで複数のチケットとしての役割を果たすと共に、チケットであることが外部から分からないようにすることが可能なチケット一体型ハガキを提供する。【解決手段】  ハガキ用紙の第１紙片１の内側面には、チケット本体を印刷すると共に、剥離不可糊塗布部６を設け、ハガキ用紙の第２紙片２の内側面には、複数の半券Ａ〜Ｆを印刷し、各半券を区分するミシン目４ａ〜４ｃを設ける。折り線３から折り畳んでチケット一体型ハガキとして送付し、開封時はミシン目４ａを分断して開封することにより、チケット本体の両端に半券が配置されたチケットとなる。【選択図】  図１
2006116773.tif 000002
【特許請求の範囲】
【請求項１】
ハガキ用紙上に折り線を介して連接される第１紙片と第２紙片が圧着されてなる圧着ハガキであって、
前記第１紙片の内側面には接着強度の高い剥離不可糊を塗布した剥離不可糊塗布部を有すると共に、チケット本体が印刷されており、当該チケット本体上に前記剥離不可糊より接着強度の弱い剥離可能糊が塗布されており、
前記第２紙片の内側面には、複数の半券が印刷されていると共に、前記第２紙片には、各半券を区分するための半券区分線が形成されていることを特徴とするチケット一体型ハガキ。
【請求項２】
第１紙片、第２紙片、第３紙片が２本の折り線を介して一方向に順に連接されてなるハガキ用紙を、前記一方の折り線を山折り、他方の折り線を谷折りすることにより、前記第２紙片の各面に第１紙片、第３紙片が圧着されてなる圧着ハガキであって、
前記第２紙片の第１面には接着強度の高い剥離不可糊を塗布した剥離不可糊塗布部を有すると共に、チケット本体が印刷されており、当該チケット本体上に前記剥離不可糊より接着強度の弱い剥離可能糊が塗布されており、
前記第３紙片の第１面には、複数の半券が印刷されていると共に、前記第３紙片には、各半券を区分するための半券区分線が形成されており、
前記第１紙片の第２面および第２紙片の第２面には、前記チケットの内容に関する会場内や会場外の案内が記載されていることを特徴とするチケット一体型ハガキ。
【請求項３】
前記半券区分線は、ミシン目により形成されていることを特徴とする請求項１または請求項２に記載のチケット一体型ハガキ。
【請求項４】
前記各半券には、個人名が印刷されていることを特徴とする請求項１から請求項３のいずれかに記載のチケット一体型ハガキ。
【発明の詳細な説明】
【技術分野】
【０００１】
本発明は、映画やスポーツ、コンサート等の各種チケットと一体的に形成されたハガキに関する。
【背景技術】
【０００２】
チケットを購入する際、電話やインターネットを介して注文すると、封書にて購入した分のチケットが送られてくる。一方、圧着ハガキにミシン目を設け、開封後にミシン目により一部を切りとって利用する技術が従来より用いられており、また、開封後に切り取った箇所を利用する例も多く存在する。例えば、切り取った箇所をチケットや応募券、返信用ハガキなど様々なものに利用することができる（例えば、特許文献１参照）。
【特許文献１】実開平７−３９０６７号公報
【発明の開示】
【発明が解決しようとする課題】
【０００３】
しかしながら、上記従来の技術では、使用する際には、複数枚のチケットを持参する必要がある上、その他の情報はチケットとは別の用紙等に記載されている場合が多く、利用者にとって便利なものとは言えない。
【０００４】
上記のような点に鑑み、本発明は、１枚のハガキだけで複数のチケットとしての役割を果たすと共に、チケットであることが外部から分からないようにすることが可能なチケット一体型ハガキを提供することを課題とする。
【課題を解決するための手段】
【０００５】
上記課題を解決するため、本発明では、チケット一体型ハガキを、ハガキ用紙上に折り線を介して連接される第１紙片と第２紙片が圧着されており、前記第１紙片の内側面には接着強度の高い剥離不可糊を塗布した剥離不可糊塗布部を有すると共に、チケット本体が印刷されており、当該チケット本体上に前記剥離不可糊より接着強度の弱い剥離可能糊が塗布されており、前記第２紙片の内側面には、複数の半券が印刷されていると共に、前記第２紙片には、各半券を区分するためのミシン目が形成されている構成としたことを特徴とする。
【発明の効果】
【０００６】
本発明によれば、折畳んで内部が隠蔽されたハガキ内にチケット本体および半券を印刷し、特に半券を複数印刷するようにしたので、郵送時には、チケットであることが外部から分からず、顧客は１枚のハガキをもっていくだけで複数のチケットとして利用することが可能となるという効果を奏する。
【発明を実施するための最良の形態】
【０００７】
以下、本発明の好適な実施形態について、図面を参照して詳細に説明する。
（第１の実施形態）
図１は、本発明第１の実施形態に係るチケット一体型ハガキの折り加工前のハガキ用紙を示す図である。図１（ａ）は外側面、図１（ｂ）は内側面を示している。外側面とは、折り畳まれて圧着された後、郵送される際に、外側になって人から見える面であり、内側面とは、折り畳まれて圧着された後、郵送される際に、内側になって、人から見えない面である。
【０００８】
図１において、３は折り線であり、この折り線３により、ハガキ用紙は第１紙片１と第２紙片２に区分されている。図１（ａ）に示すように、第１紙片１の外側面は、チケットの受取者へ郵送するための宛名を記載する欄となっており、実際には、住所、氏名、郵便番号等が記載または印刷されることになる。また、図１（ａ）に示すように、第２紙片２の外側面は、ミシン目４ａ、４ｂ、４ｃが形成された状態となっている。図１（ａ）の例では、第２紙片２の外側面には印刷は施されていないが、ここに適宜所望の情報を印刷することが可能である。
【０００９】
一方、図１（ｂ）に示すように、第１紙片１の内側面には、チケット本体が印刷されている。図１（ｂ）の例では、「○○」というチームと「△△」というチームの対戦についてのチケットが３部印刷されている。第２紙片２の内側面には、チケットの半券が印刷されている。図１（ｂ）の例では、半券Ａ〜半券Ｆの６枚の半券が、それぞれミシン目により区分された位置に印刷されている。すなわち、ミシン目４ａ〜４ｃは半券を区分するための半券区分線としての役割を果たしている。第１紙片１の折り線３と反対側の端部には、余白５が設けられており、余白５に連続して剥離不可糊塗布部６が設けられている。剥離不可糊塗布部６は、図１（ｂ）において、網掛けした状態で示してあるが、この部分には、容易に剥離ができない剥離不可糊が塗布されている。また、第１紙片１の内側面において、余白５、剥離不可糊塗布部６を除いた部分全面、すなわちチケット本体が印刷された部分に剥離可能糊が塗布されている。
【００１０】
続いて、図１に示したハガキ用紙を折り線３により２つに折り畳んで圧着する。すなわち、内側面が隠蔽されるように、図１（ｂ）において折り線３を谷折りする。この結果、第１紙片１の内側面に塗布された剥離可能糊および剥離不可糊により、第１紙片１と第２紙片２の内側面が圧着されることになる。このようにして、作成されたチケット一体型ハガキの一例を図２に示す。図２（ａ）は、完成したチケット一体型ハガキの表面、図２（ｂ）は、完成したチケット一体型ハガキの裏面をそれぞれ示している。図２（ａ）に示すように、第１紙片１の外側面が、チケット一体型ハガキの表面となり、図２（ｂ）に示すように、第２紙片２の外側面が、チケット一体型ハガキの裏面となる。第２紙片２の幅は、余白５の分だけ第１紙片１よりも狭いため、裏面からは第１紙片１の余白５の部分が見えることになる。
【００１１】
図２に示したチケット一体型ハガキが郵送されて、顧客に届いた後、顧客は、チケット一体型ハガキを開封することになる。具体的には、図２（ｂ）に示した状態で、第２紙片２のみをミシン目４ａから２つに分離する。ミシン目４ａは比較的弱い力で分断されるように形成されているため、第２紙片２に対して、外側に引っ張る力を加えれば容易に分断することができる。第１紙片１と第２紙片２は接着されているが、剥離可能糊で接着されているため、第２紙片２を外側に引っ張る力により同時に剥離することができる。
【００１２】
図２（ｂ）に示したチケット一体型ハガキを開封した状態を図３に示す。第２紙片２のみをミシン目４ａから２つに分離して開くと、隠蔽されていた第１紙片１の内側面が現れ、その両端に、２つに分断された第２紙片２の各部分が連続することになる。第１紙片１の内側面には、チケット本体が３部印刷されており、第２紙片２の内側面には、ミシン目４ｂ、４ｃを介して、半券がそれぞれ３枚ずつ印刷されている。そのため、この開封した状態で、６人分のチケットとしての役割を果たすものとなる。第１紙片１と半券Ａ、半券Ｃ、半券Ｅについては、折り線３により連続して形成されているが、第１紙片１と半券Ｂ、半券Ｄ、半券Ｆについては、剥離不可糊塗布部６に塗布された剥離不可糊により接着されている。剥離不可糊は接着強度が高いため、チケット一体型ハガキを開封しても剥がれることはない。なお、ミシン目４ｂ、４ｃは、開封の際に分断されないように、ミシン目４ａよりも若干強度を強く形成することが好ましい。ミシン目４ａ、４ｂ、４ｃの各強度は、剥離可能糊の強度を考慮しつつ、ミシン目の穴部分と連続部分との長さの大小により調整することができる。
【００１３】
図３のようにして、開封されたチケット一体型ハガキは、チケットの対象となるイベント会場等において、入場の際、人数分の半券を切離すことにより利用される。このように、本発明に係るチケット一体型ハガキによれば、１枚で複数人のチケットとしての役割を果たすことになる。また、第２紙片２の内側面に形成された半券には、送付される宛先に居住する各個人の名前を印刷しておき、各個人専用のチケットとして使用することもできる。
【００１４】
（第２の実施形態）
次に、第２の実施形態について説明する。図４は、本発明第２の実施形態に係るチケット一体型ハガキの折り加工前のハガキ用紙を示す図である。図４（ａ）は第１面、図４（ｂ）は第２面を示している。
【００１５】
図４において、１４ａ、１４ｂは折り線であり、この２本の折り線１４ａ、１４ｂにより、ハガキ用紙は第１紙片１１、第２紙片１２、第３紙片１３に区分されている。図４（ａ）に示すように、第１紙片１の第１面は、チケットの受取者へ郵送するための宛名を記載する宛名欄が設けられており、住所、氏名、郵便番号等が記載または印刷されることになる。また、第２紙片１２の第１面には、第１の実施形態における第１紙片１の内側面と同様に、チケット本体が印刷されている。第２紙片１２の第１面には、第１の実施形態における第２紙片２の内側面と同様に、チケットの半券が印刷されている。また、チケットの各半券を区分するための半券区分線としての役割を果たすミシン目１５ａ、１５ｂ、１５ｃが、第１の実施形態と同様に、設けられている。また、第２紙片１２の第１面の折り線１４ａ側の端部には、第１の実施形態における余白５と同様の余白１６が設けられており、余白１６に連続して第１の実施形態における剥離不可糊塗布部６と同様の剥離不可糊塗布部１７が設けられている。また、第２紙片１２の第１面において、余白１６、剥離不可糊塗布部１７を除いた部分全面、すなわちチケット本体が印刷された部分に剥離可能糊が塗布されている。
【００１６】
一方、図４（ｂ）に示すように、第１紙片１１の第２面には、案内図が印刷されており、第２紙片１２の第２面には、球場図が印刷されている。案内図とは、本ハガキに印刷されたチケットの内容に関連する案内を掲載した図であり、例えば、顧客の住所から会場までの道案内が印刷されている。また、球場図とは、チケットの内容が開催される球場についての図である。本実施形態では、第２紙片１２の第２面に球場図が印刷されているが、チケットの内容が開催される会場が球場でない場合は、その他の会場の図が印刷されることになる。また、第２紙片１２の第２面全面には、第２紙片１２の第１面と同様に、剥離可能糊が塗布されている。図４（ｂ）の例では、第３紙片１３の第２面には印刷は施されていないが、ここに適宜所望の情報を印刷することが可能である。
【００１７】
続いて、図４に示したハガキ用紙を折り線１４ａ、１４ｂにより３つに折り畳んで圧着する。すなわち、第１紙片１１の第２面、第２紙片１２の両面、第３紙片１３の第１面が隠蔽されるように、図１（ａ）において折り線１４ａを山折りし、折り線１４ｂを谷折りする。このときの状態を図５（ａ）に示す。この結果、第２紙片１２の第２面に塗布された剥離可能糊により、第１紙片１１と第２紙片１２の第２面同士が圧着されることになる。また、第２紙片１２の第１面に塗布された剥離可能糊および剥離不可糊により、第２紙片１２と第３紙片１３の第１面同士が圧着されることになる。このようにして、作成されたチケット一体型ハガキの一例を図５（ｂ）（ｃ）に示す。図５（ｂ）は、完成したチケット一体型ハガキの表面、図５（ｃ）は、完成したチケット一体型ハガキの裏面をそれぞれ示している。図５（ｂ）に示すように、第１紙片１１の第１面が、チケット一体型ハガキの表面となり、図５（ｃ）に示すように、第３紙片１３の第２面が、チケット一体型ハガキの裏面となる。第３紙片１３の幅は、余白１６の分だけ第２紙片１２よりも狭いため、裏面からは第２紙片１２の余白１６の部分が見えることになる。
【００１８】
図５に示したチケット一体型ハガキも第１の実施形態におけるチケット一体型ハガキと同様に郵送されて、顧客に届いた後、顧客は、チケット一体型ハガキを開封することになる。具体的には、図５（ｃ）に示した状態で、第３紙片１３のみをミシン目１５ａから２つに分離する。ミシン目１５ａは比較的弱い力で分断されるように形成されているため、第３紙片１３に対して、外側に引っ張る力を加えれば容易に分断することができる。第２紙片１２と第３紙片１３は接着されているが、剥離可能糊で接着されているため、第３紙片１３を外側に引っ張る力により同時に剥離することができる。
【００１９】
図５（ｃ）に示したチケット一体型ハガキを開封すると、図３に示した第１の実施形態と同様の状態となる。すなわち、第３紙片１３のみをミシン目１５ａから２つに分離して開くと、隠蔽されていた第２紙片１２の第１面が現れ、その両端に、２つに分断された第３紙片１３の各部分が連続することになる。第２紙片１２の第１面には、チケット本体が３部印刷されており、第３紙片１３の第１面には、ミシン目１５ｂ、１５ｃを介して、半券がそれぞれ３枚ずつ印刷されている。そのため、この開封した状態で、６人分のチケットとしての役割を果たすものとなる。第２紙片１２と半券Ａ、半券Ｃ、半券Ｅについては、折り線１４ｂにより連続して形成されているが、第２紙片１２と半券Ｂ、半券Ｄ、半券Ｆについては、剥離不可糊塗布部１７に塗布された剥離不可糊により接着されている。剥離不可糊は接着強度が高いため、チケット一体型ハガキを開封しても剥がれることはない。なお、ミシン目１５ｂ、１５ｃは、開封の際に分断されないように、ミシン目１５ａよりも若干強度を強く形成することが好ましい。ミシン目１５ａ、１５ｂ、１５ｃの各強度は、剥離可能糊の強度を考慮しつつ、ミシン目の穴部分と連続部分との長さの大小により調整することができる。
【００２０】
顧客は、第１紙片１１の第２面に印刷された案内図を利用して会場に向かい、会場において、入場の際、人数分の半券を切離すことにより利用される。また、第３紙片１３の第１面に形成された半券には、第１の実施形態と同様、送付される宛先に居住する各個人の名前を印刷しておき、各個人専用のチケットとして使用することもできる。
【図面の簡単な説明】
【００２１】
【図１】本発明第１の実施形態に係るチケット一体型ハガキの折り加工前のハガキ用紙を示す図である。
【図２】本発明第１の実施形態に係るチケット一体型ハガキの一例を示す図である。
【図３】本発明に係るチケット一体型ハガキを開封した状態を示す図である。
【図４】本発明第２の実施形態に係るチケット一体型ハガキの折り加工前のハガキ用紙を示す図である。
【図５】本発明第２の実施形態に係るチケット一体型ハガキの一例を示す図である。
【符号の説明】
【００２２】
１・・・第１紙片
２・・・第２紙片
３・・・折り線
４ａ〜４ｃ・・・ミシン目
５・・・余白
６・・・剥離不可糊塗布部
１１・・・第１紙片
１２・・・第２紙片
１３・・・第３紙片
１４ａ、１４ｂ・・・折り線
１５ａ〜１５ｃ・・・ミシン目
１６・・・余白
１７・・・剥離不可糊塗布部
【図１】
2006116773.tif 000003
【図２】
2006116773.tif 000004
【図３】
2006116773.tif 000005
【図４】
2006116773.tif 000006
【図５】
2006116773.tif 000007